(57)【要約】【課題】利用状況が季節等により変化しない機器を用いて、日常生活の状況を通報するシステムを提供する。【解決手段】親の家１００と子供の家４００及び医療機関３００とは、通信網２００を介して通信可能であり、親の家１００は、ランプ１１０の点滅状態を、ＯＮ状態とＯＦＦ状態とのいずれかの状態を示すＯＮ／ＯＦＦ信号として通信網２００を介して子供の家４００へ通報し、モニタ装置４１０を用いて日常の生活状況を把握し、医療機関３００も同様に通報を受け、モニタ装置３１０を用いて生活状況を把握する。【選択図】        図１
2004362198.tif 000002
【特許請求の範囲】
【請求項１】
ランプを点滅させる照明器具と、上記照明器具と通信網で接続する端末とを備え、
上記照明器具は、ランプの点滅状態を、ＯＮ状態とＯＦＦ状態とのいずれかの状態を示すＯＮ／ＯＦＦ信号として上記通信網を介して上記端末へ通報するランプ点滅通報システム。
【請求項２】
上記照明器具は、
上記ランプのＯＮ状態とＯＦＦ状態とを切換えるスイッチと、
上記ランプの点滅状態をＯＮ／ＯＦＦ信号として上記通信網へ送信する第一の通信インタフェース部とを備え、
上記端末は、
上記通信網を介して上記ＯＮ／ＯＦＦ信号を受信する第二の通信インタフェース部と、
上記第二の通信インタフェース部が受信したＯＮ／ＯＦＦ信号を入力し、入力したＯＮ／ＯＦＦ信号を用いて、上記照明器具のランプの点滅状態を出力するモニタ装置と
を備えることを特徴とする請求項１記載のランプ点滅通報システム。
【請求項３】
上記モニタ装置は、
ＯＮ状態を通知された日時と、ＯＦＦ状態を通知された日時とを記録するメモリと、
上記ＯＮ／ＯＦＦ信号を上記第二の通信インタフェース部から入力し、入力したＯＮ／ＯＦＦ信号がＯＮ状態を示す場合、ＯＮ状態を通知された日時を上記メモリへ記録し、上記ＯＮ／ＯＦＦ信号がＯＦＦ状態を示す場合は、ＯＦＦ状態を通知された日時を上記メモリへ記録し、上記メモリに記録されたＯＮ状態を通知された日時とＯＦＦ状態を通知された日時とを用いて、上記照明器具のランプの点滅状態を示す点滅情報を生成し、生成した点滅情報を出力する制御部と、
上記制御部が出力した点滅情報を表示する表示部と
を備えることを特徴とする請求項２記載のランプ点滅通報システム。
【請求項４】
上記制御部は、上記点滅情報を解析した結果、ＯＮ状態とＯＦＦ状態とのいずれかの状態が、所定の時間継続している場合、上記表示部へ警告を出すことを指示し、
上記表示部は、上記指示に基づいて、警告を出力することを特徴とする請求項３記載のランプ点滅通報システム。
【請求項５】
上記端末は、ＯＮ状態とＯＦＦ状態とのいずれかを示す照明装置を備え、上記ＯＮ／ＯＦＦ信号によって、上記照明装置をＯＮ状態とＯＦＦ状態とのいずれかの状態へ遷移させることを特徴とする請求項１記載のランプ点滅通報システム。
【請求項６】
上記ランプ点滅通報システムは、さらに、上記通信網と接続する第二の端末を備え、
上記照明器具は、親の家に備えられ、上記通信網を介して上記端末と上記第二の端末とへＯＮ／ＯＦＦ信号を送信し、
上記端末は、子供の家に備えられ、
上記第二の端末は、医療機関へ備えられることを特徴とする請求項１から５いずれかに記載のランプ点滅通報システム。
【請求項７】
ランプを備える照明器具と、端末とを通信網で接続し、
照明器具に備えられたランプの点滅を、ＯＮ状態とＯＦＦ状態とのいずれかの状態を示すＯＮ／ＯＦＦ信号として上記通信網を介して上記端末へ通報するランプ点滅通報方法。
【発明の詳細な説明】
【０００１】
【発明の属する技術分野】
この発明は、照明器具を用いた通報システムに関する。
【０００２】
【従来の技術】
今後の高齢者の生活では、第三者が高齢者の生活状況を把握することが必要となることが予想される。
例えば、特開２００２−５８５９７号公報では、ポットを用いたシステムを開示している。特開２００２−５８５９７号公報によれば、「電気ポット使用情報の送信又は受信回路を備え、離隔地間で個別に使用される少なく共２台の電気ポットを、所定の通信手段を介して相互に情報の送受ができるように接続可能とした生活モニター用親子電気ポットにおいて、各電気ポットは、通信確認キーを備え、該通信確認キーが操作されると、当該電気ポット本来の情報に変えて相手側電気ポットの使用情報が確実に表示されるように構成した。」（特開２００２−５８５９７号公報、要約を引用）という構成であり、電気ポットの使用情報を表示する。
【０００３】
【特許文献１】
特開２００２−５８５９７号公報
【０００４】
【発明が解決しようとする課題】
電気ポットを用いたシステムでは、例えば盛夏において、ポットが使用されない家庭があれば、システムがうまく機能しないことが考えられる。また、毎日お茶を飲む習慣がない家庭には適用できない場合が発生する。
【０００５】
そこで、この発明は、日常生活において、誰でも利用し、また、季節によって利用状況が大きく変化しない機器を用い、その機器の利用状態を通報するシステムを提案することを目的とする。
【０００６】
【課題を解決するための手段】
この発明に係るランプ点滅通報システムは、ランプを点滅させる照明器具と、上記照明器具と通信網で接続する端末とを備え、
上記照明器具は、ランプの点滅状態を、ＯＮ状態とＯＦＦ状態とのいずれかの状態を示すＯＮ／ＯＦＦ信号として上記通信網を介して上記端末へ通報する。
【０００７】
上記照明器具は、
上記ランプのＯＮ状態とＯＦＦ状態とを切換えるスイッチと、
上記ランプの点滅状態をＯＮ／ＯＦＦ信号として上記通信網へ送信する第一の通信インタフェース部とを備え、
上記端末は、
上記通信網を介して上記ＯＮ／ＯＦＦ信号を受信する第二の通信インタフェース部と、
上記第二の通信インタフェース部が受信したＯＮ／ＯＦＦ信号を入力し、入力したＯＮ／ＯＦＦ信号を用いて、上記照明器具のランプの点滅状態を出力するモニタ装置と
を備えることを特徴とする。
【０００８】
上記モニタ装置は、
ＯＮ状態を通知された日時と、ＯＦＦ状態を通知された日時とを記録するメモリと、
上記ＯＮ／ＯＦＦ信号を上記第二の通信インタフェース部から入力し、入力したＯＮ／ＯＦＦ信号がＯＮ状態を示す場合、ＯＮ状態を通知された日時を上記メモリへ記録し、上記ＯＮ／ＯＦＦ信号がＯＦＦ状態を示す場合は、ＯＦＦ状態を通知された日時を上記メモリへ記録し、上記メモリに記録されたＯＮ状態を通知された日時とＯＦＦ状態を通知された日時とを用いて、上記照明器具のランプの点滅状態を示す点滅情報を生成し、生成した点滅情報を出力する制御部と、
上記制御部が出力した点滅情報を表示する表示部と
を備えることを特徴とする。
【０００９】
上記制御部は、上記点滅情報を解析した結果、ＯＮ状態とＯＦＦ状態とのいずれかの状態が、所定の時間継続している場合、上記表示部へ警告を出すことを指示し、
上記表示部は、上記指示に基づいて、警告を出力することを特徴とする。
【００１０】
上記端末は、ＯＮ状態とＯＦＦ状態とのいずれかを示す照明装置を備え、上記ＯＮ／ＯＦＦ信号によって、上記照明装置をＯＮ状態とＯＦＦ状態とのいずれかの状態へ遷移させることを特徴とする。
【００１１】
上記ランプ点滅通報システムは、さらに、上記通信網と接続する第二の端末を備え、
上記照明器具は、親の家に備えられ、上記通信網を介して上記端末と上記第二の端末とへＯＮ／ＯＦＦ信号を送信し、
上記端末は、子供の家に備えられ、
上記第二の端末は、医療機関へ備えられることを特徴とする。
【００１２】
この発明に係るランプ点滅通報方法は、ランプを備える照明器具と、端末とを通信網で接続し、
照明器具に備えられたランプの点滅を、ＯＮ状態とＯＦＦ状態とのいずれかの状態を示すＯＮ／ＯＦＦ信号として上記通信網を介して上記端末へ通報する。
【００１３】
【発明の実施の形態】
実施の形態１．
図１は、ランプ点滅通報システムの構成の一例を表す図である。
図１では、親の家１００と医療機関３００と子供の家４００とは、通信網２００を介して通信が可能となっている。通信インタフェース部（通信Ｉ／Ｆ部）１３０、３２０、４２０は、通信網２００へのインタフェースを司る。
通信網２００は、図１では、有線で表しているが、有線、無線を問わない。また、公衆回線であってもよいし、専用回線その他の通信回線であってもかまわない。
さらに、図１では、親の家１００は、ランプ１１０と、ランプ１１０の点滅を切換えるスイッチ（ＳＷ）１２０とを備え、医療機関３００は、モニタ装置３１０を備え、子供の家４００は、モニタ装置４１０を備える例を示している。
【００１４】
図１を用いて、システムの概略を説明する。
親の家１００に備えられたランプ１１０の点滅は、ＯＮ／ＯＦＦ信号として通信網２００を介して、医療機関３００と子供の家４００とへ送信される。
ＯＮ／ＯＦＦ信号は、ランプ１１０が点灯していることを示すＯＮ状態と、ランプが消灯していることを示すＯＦＦ状態とのいずれかを示す信号である。
親の家１００のランプ１１０の点滅に基づいて、ＯＮ／ＯＦＦ信号が医療機関３００と子供の家４００とへ送信され、送信されたＯＮ／ＯＦＦ信号は、モニタ装置３１０とモニタ装置４１０とによって処理される。
すなわち、親の家１００は、ＯＮ／ＯＦＦ信号の送信側であり、医療機関３００と子供の家４００とは、ＯＮ／ＯＦＦ信号の受信側となる。
以下、図２を用いて具体的に説明する。
【００１５】
図２は、ＯＮ／ＯＦＦ信号の送信側と受信側の構成の一例を表した図である。図２では、ＯＮ／ＯＦＦ信号の送信側の構成として、照明器具１９０を示し、ＯＮ／ＯＦＦ信号の受信側の構成として、端末４９０を示している。照明器具１９０は、親の家１００に備えられ、端末４９０は、子供の家４００に備えられる。
図２では、医療機関３００の構成の記載は省略しているが、医療機関３００においても、端末４９０と同様の構成を備えているものとする。
従って、親の家１００の照明器具１９０と、子供の家４００の端末４９０とが通信網２００を介して接続されていることになる。また、医療機関３００も同様に端末を備えるため、医療機関の端末（第二の端末ともいう）も通信網２００を介して、照明器具１９０に接続されることになる。また、通信網２００を介して、子供の家４００の端末４９０と医療機関３００の端末とが接続することも可能である。
【００１６】
照明器具１９０は、ランプ１１０、スイッチ１２０、通信インタフェース部１３０、電源１４０とを備える例を示す。
スイッチ１２０は、ランプのＯＮ状態とＯＦＦ状態とを切換える。切換えは、利用者がスイッチ１２０を操作することによって指示されることになる。
通信インタフェース部１３０は、予めＯＮ／ＯＦＦ信号を送信する宛先の情報を記録し、ＯＮ／ＯＦＦ信号が通知されると、自動的に記録された宛先へＯＮ／ＯＦＦ信号を送信する。記録された宛先は、一つでもよいし、複数でもよい。呼の実施の形態では、子供の家４００と医療機関３００とが宛先として記録されている場合を一例として説明する。
電源１４０は、スイッチ１２０の切換えに基づいて、ランプ１１０へ電気を供給する。
なお、図２では、ランプ１１０を点滅させる機器は明記していない。
【００１７】
親の家１００では、スイッチ１２０は、電源１４０と接続し、スイッチ１２０がＯＮ状態となった場合、電源１４０からランプ１１０へ電気が供給されるようになっている。
スイッチ１２０がＯＮ状態になると、電源１４０からスイッチ１２０を経由してランプ１１０へ電気が流れる変化が発生し、通信インタフェース部１３０へＯＮ状態を示すＯＮ／ＯＦＦ信号が通知される。通信インタフェース部１３０は、通信網２００を介して医療機関３００と子供の家４００へＯＮ／ＯＦＦ信号を送信する。スイッチ１２０の切換えに基づいて、通信インタフェース部１３０へ、ＯＮ／ＯＦＦ信号が通知されるように設定する。ＯＮ／ＯＦＦ信号の通知は、スイッチ１２０がＯＮ状態からＯＦＦ状態へ切り替わった場合、あるいは、スイッチ１２０がＯＦＦ状態からＯＮ状態へ切り替わった場合に発生する。すなわち、スイッチ１２０からランプ１１０へ、電流が発生した時と、電流が停止した時とに、ＯＮ／ＯＦＦ信号の通知が発生することになる。
【００１８】
端末４９０は、モニタ装置４１０と通信インタフェース４２０とを備える。モニタ装置４１０は、メモリ４１１と、制御部４１２と、表示部４１３とを備える。
メモリ４１１は、ＯＮ／ＯＦＦ信号に基づく情報を記録する。例えば、ＯＮ状態へ変化したときの日時と、ＯＦＦ状態へ変化したときの日時を記録する。図３は、メモリ４１１が記録するデータの一例を示した図である。メモリ４１１は、所定の期間のＯＮ／ＯＦＦ状態に基づく情報を記録する。
制御部４１２は、通信インタフェース部４２０が受信したＯＮ／ＯＦＦ信号を入力し、上記ＯＮ／ＯＦＦ信号を解析して、ＯＮ状態の通知と、ＯＦＦ状態の通知とのいずれかを判断し、ＯＮ状態を通知された日時と、ＯＦＦ状態を通知された日時とのいずれかをメモリ４１１へ記録する。また、メモリ４１１へ記録されたデータを用いて、親の家１００のランプ１１０の点滅状態を示す点滅情報を生成し、生成した点滅情報を表示部４１３へ出力する。
【００１９】
表示部４１３は、制御部４１２から受け取った点滅情報を表示する。表示部４１３は、表示画面であってもよいし、プリンタであってもよい。表示画面の場合は、表示画面上に点滅情報を表示し、プリンタの場合は、点滅情報を印刷する。また、その他の機器であってもよい。利用者へ点滅情報が確認できる状態になっていればよい。例えば、ランプ等の点滅によって点滅情報を表してもよい。
図４は、点滅情報の一例を示した図である。図４の例では、点灯した日時と消灯した日時とが把握できるようになっている。
【００２０】
また、制御部４１２は、メモリ４１１に記録されたＯＮ／ＯＦＦに基づく情報を用いて、点滅状態を解析して、医療機関３００と子供の家４００とを利用する利用者へ警告を出力することも可能である。
図５は、点灯時間を確認するタイマーを用いた動作の一例を表した図である。ここでは、制御部４１２は、タイマーを備え、タイマーが所定の時間を経過した場合に警告を出力する例を説明する。タイマーが所定の時間を経過した場合、親の家１００では、何らかの異常状態が発生していると予想されることを前提とする例である。たとえば、ランプ１１０を点灯して、所定の時間（例えば、２４時間）経過した場合、アラーム（警告）を出す、という設定をする。
【００２１】
図５の動作の例では、制御部４１２は、ＯＮ／ＯＦＦ信号を入力する（Ｓ１１）。
次に、制御部４１２は、入力したＯＮ／ＯＦＦ信号を解析し、ＯＮ／ＯＦＦ信号に基づく情報をメモリ４１１へ記録する（Ｓ１２）。
次に、制御部４１２は、メモリ４１１へ記録された情報を用いて、点滅情報を表示部４１３へ出力する（Ｓ１３）。表示部４１３は、点滅情報を表示する。
次に、制御部４１２は、ＯＮ／ＯＦＦ信号がＯＮ状態を示すＯＮ信号の場合（Ｓ１４でＹｅｓ）、タイマーのスイッチをＯＮにする（Ｓ１５）。一方、ＯＮ／ＯＦＦ信号がＯＦＦ状態を示すＯＦＦ信号の場合（Ｓ１４でＮｏ）、タイマーのスイッチをＯＦＦにする（Ｓ１６）。タイマーは所定の時間を経過した場合、警告音等により、アラームを出す。タイマーがＯＮに設定されて後、所定の時間を経過しない場合は、アラームを出さない。
【００２２】
図５の例では、ランプ１１０が点灯している時間を計測している場合を示したが、ランプ１１０のＯＮ状態とＯＦＦ状態とが変化しない期間が、所定の時間を経過した場合に、アラームを出すという設定をしてもよい。
この場合、ＯＮ状態の継続時間を計るタイマーとＯＦＦ状態の継続時間を計るタイマーとを準備することによって実現することが可能である。
【００２３】
さらに、図３に示した点滅情報において、ＯＮ状態とＯＦＦ状態とのいずれかが、所定の時間継続している場合に、表示する文字の色を他の情報と異なる色にしたり、表示する書式を変更（下線、ボールド、囲む等）により、利用者が、異常が発生していることを検出しやすくしてもよい。
さらに、表示部４１３が出力する情報として、図３に示したような、点滅情報とは異なる情報、例えば警告情報等を出力するようにしてもよい。
【００２４】
また、上記通信インタフェース部１３０、４２０は、ＯＮ／ＯＦＦ信号を有線（信号線）による通信で受け取る場合であってもよいし、無線による通信（ワイヤレス式、例えば、赤外線を用いた通信等）で受け取る場合であってもよい。
また、実施の形態１では、ランプを備える照明器具を用いて説明したが、上記照明器具は、一例であり、ランプ等は、その他の機器を用いた照明器具であってもよい。また、照明器具に限られず、日常使用する家電製品を用いてスイッチのＯＮ状態とＯＦＦ状態とを通知するシステムであってもかまわない。
【００２５】
このように、日常的に使用するのが一般的な家電製品のＯＮ／ＯＦＦ操作の情報を、ワイヤレス式、あるいは、信号線によって通信網を介して家庭外の契約診療所や別の家庭へ通報することが可能になる。
特に、今後の高齢層の生活シーンを考えた場合、通年使用すると想定され、相手の生活パターンが想定できるランプを用いることによって、生活状態に異常が発生したことを通報することが容易になると考えられる。特に、ランプの場合は、夜点灯して所定の時間に消灯するという生活パターンがある場合、夜間点灯しない、あるいは、夜点灯した後朝まで点灯が続く、などの生活パターンの変化が把握しやすく、異常の発生が検知しやすい。また、点灯状態という、ランプの点滅の状態を、他者へ通報することが可能となる。
【００２６】
実施の形態２．
実施の形態２では、ＯＮ／ＯＦＦ信号を受信する受信側の装置が、実施の形態１に比べて簡易な場合を説明する。
図６は、実施の形態２のランプ点滅通報システムの構成の一例を示す図である。
図６のランプ点滅通報システムは、親の家１００の照明器具１９０に備えられるランプ１１０の点滅に連動して、子供の家４００に備えられる照明装置のランプ４５０が点滅する例である。
図６に示すように、親の家１００のスイッチ１２０とランプ１１０との間に電気が流れると、子供の家４００に備えられる照明装置のランプ４５０を点滅させるように、配線を設定する。図６では、親の家からの配線がランプ４５０と直接接続している例を示しているが、これに限られるわけではない。配線を接続する機器、あるいは、ＯＮ／ＯＦＦを切換えるスイッチを、配線の途中に挿入してもかまわない。
【００２７】
このように、親の家１００に備えられる照明器具１９０のランプ１１０の点滅と連動して子供の家４００のランプ４５０が点滅することによって、子供の家４００の居住者は、親の家１００の生活の状態を把握することが可能となる。
【００２８】
また、図６では、医療機関３００は示していない。親の家１００と医療機関３００が近距離にある場合は、上記子供の家４００と同様のシステムを構築することな可能であるが、実施の形態１のシステム構成に比べ、利便性等は低くなると考えられる。
また、図６では、ランプ４５０を照明装置の一例として示したが、ランプ４５０に限られることはない。ＯＮ／ＯＦＦとの二つの状態を表示できる機器であればこの他の機器であってもよい。
【００２９】
実施の形態３．
図７は、実施の形態３のランプ点滅通報システムの構成の一例を示す図である。
図７のランプ点滅通報システムでは、実施の形態１のモニタ装置４１０を簡便なものに変更したものである。
図７では、図２のモニタ装置４１０に代えて、スイッチ４３０と、電源４４０と、ランプ４５０によって、親の家１００の生活状況を把握するシステムの一例を示した図である。従って、図７の端末４８０は、通信インタフェース４２０と、スイッチ４３０と、電源４４０と、ランプ４５０とを備える。
照明器具１９０は、図２と同様であるため説明を省略する。
通信インタフェース部４２０へ入力されたＯＮ／ＯＦＦ信号は、スイッチ４３０の切換えを指示する切換え信号として用いる。
入力されたＯＮ／ＯＦＦ信号がＯＮ状態を示すＯＮ信号の場合、スイッチ４３０は、ＯＮに切換えられ、電源４４０からの電流が供給され、ランプ４５０が点灯する。一方、入力されたＯＮ／ＯＦＦ信号がＯＦＦ状態を示すＯＦＦ信号の場合、スイッチ４３０は、ＯＦＦに切換えられ、電源４４０からの電流の供給が停止し、ランプ４５０が消灯する。子供の家４００の利用者は、ランプ４５０の点滅によって、親の家１００の生活状況を把握することが可能となる。
【００３０】
図７では、ランプ４５０を用いたが、ランプ４５０に限られることはない。ＯＮ／ＯＦＦの二つの状態を表示できる機器であれば、その他の機器であってもよい。例えば、二色を表示できる機器によって、ＯＮ／ＯＦＦ状態を通知してもよい。また、二つの形状、形態を有する機器、あるいは、装置であり、ＯＮ／ＯＦＦ状態を異なる形状、形態によって示す場合であってもよい。
【００３１】
このように、親の家１００と子供の家４００とが遠距離にある場合、通信網２００を介し、安価な機器によって、親の家１００の生活状況を把握することが可能となる。
【００３２】
実施の形態４．
実施の形態１では、親の家１００に備えられる照明器具１９０のランプ１１０の点滅状態に変化があった場合にＯＮ／ＯＦＦ信号を送信する場合を説明したが、定期的に、ランプの点滅状態を送信するようにしてもよい。
通信インタフェース部１３０は、定期的に、ＯＮ／ＯＦＦ信号を取得し、取得したＯＮ／ＯＦＦ信号を送信する。
子供の家４００では、ＯＮ／ＯＦＦ信号を定期的に受信し、受信した情報をメモリ４１１へ記録する様にしてもよい。この場合、メモリ４１１は、定期的に受信するＯＮ／ＯＦＦ信号を記録する領域を設定し、定期的に受信したＯＮ／ＯＦＦ信号がＯＮ状態かＯＦＦ状態かを記録するとともに、ＯＮ状態が通知された日時とＯＦＦ状態が通知された日時とを記録する。このように記録することによって、制御部４１２は、ランプの点滅状態が変化した時点と、所定の時間におけるランプの点滅状態（ＯＮ状態か、ＯＦＦ状態か）を検知することが可能となる。
【００３３】
実施の形態５．
上記実施の形態では、親の家１００と子供の家４００とを具体的な例として用いたが、これらに限られず、照明器具１９０を備える第一の建物と、上記第一の建物と通信網２００を用いて通信が可能な第二の建物との間で適用することが可能である。第一の建物と第二の建物とが通信網２００で接続されている構成であればよい。
また、医療機関３００は、含まれている場合であっても、含まれていない場合であってもかまわない。医療機関、あるいは、その他の福祉施設、公共施設等と接続している場合であってもよい。
さらに、上記第一の建物と通信網２００を介して接続する建物等は、一つに限られることはなく、複数の建物等と接続する場合であってもよい。例えば、親の家と、複数の子供の家それぞれとが接続している場合であってもよい。
【００３４】
図１等では、通信インタフェース部への信号の通知は、有線によって通知する場合を示しているが、無線通信を用いて通信インタフェース部へＯＮ／ＯＦＦ信号を通知する場合であってもよい。
【００３５】
【発明の効果】
この発明のランプ点滅通報システム及びランプ点滅通報方法によれば、遠隔地に住む居住者の生活状況を、日常用いる電灯を用いて把握することが可能となる。
【図面の簡単な説明】
【図１】実施の形態１のランプ点滅通報システムの構成の一例を表す図。
【図２】ＯＮ／ＯＦＦ信号の送信側と受信側の構成の一例を表した図。
【図３】メモリ４１１が記録するデータの一例を示した図。
【図４】点滅情報の一例を示した図。
【図５】点灯時間を確認するタイマーを用いた動作の一例を表した図。
【図６】実施の形態２のランプ点滅通報システムの構成の一例を示す図。
【図７】実施の形態３のランプ点滅通報システムの構成の一例を示す図。
【符号の説明】
１００  親の家、１１０，４５０  ランプ、１２０，４３０  スイッチ、１３０，３２０，４２０  通信インタフェース部、１４０，４４０  電源、１９０  照明器具、２００  通信網、３００  医療機関、４００  子供の家、４１０  モニタ装置、４１１  メモリ、４１２  制御部、４１３  表示部、４８０，４９０端末。
【図１】
2004362198.tif 000003
【図２】
2004362198.tif 000004
【図３】
2004362198.tif 000005
【図４】
2004362198.tif 000006
【図５】
2004362198.tif 000007
【図６】
2004362198.tif 000008
【図７】
2004362198.tif 000009